(57)【要約】【課題】記録媒体の記録面とヘッドのノズル面とのギャップの変動を考慮して吐出タイミングを調整することができる描画装置の駆動制御方法および描画装置を提供する。【解決手段】インクジェットヘッド７６のノズル面９１と、インクジェットヘッド７６に対し相対的に印刷送りされる記録媒体Ａの記録面Ａ１と、のギャップが周期的に変化する描画装置１の駆動制御方法であって、１周期における、記録媒体Ａの送り量とギャップの刻々の変化量との相関関係で規定される、ギャップの周期変化を取得する周期変化取得工程と、取得したギャップの周期変化に基づいて、記録媒体Ａへの着弾位置が適正位置となるように、印刷送りにおけるインクジェットヘッド７６の吐出タイミングを制御するタイミング制御工程と、を備えた。【選択図】図７
2011235566.tif 000002
【特許請求の範囲】
【請求項１】
インクジェットヘッドのノズル面と、前記インクジェットヘッドに対し相対的に印刷送りされる記録媒体の記録面と、のギャップが周期的に変化する描画装置の駆動制御方法であって、
１周期における、前記記録媒体の送り量と前記ギャップの刻々の変化量との相関関係で規定される、前記ギャップの周期変化を取得する周期変化取得工程と、
取得した前記ギャップの周期変化に基づいて、前記記録媒体への着弾位置が適正位置となるように、印刷送りにおける前記インクジェットヘッドの吐出タイミングを制御するタイミング制御工程と、を備えたことを特徴とする描画装置の駆動制御方法。
【請求項２】
前記記録媒体は、一方向に回転する回転ドラムの外周面に密着させて前記印刷送りされ、
前記１周期が前記回転ドラムの１回転に対応していることを特徴とする請求項１に記載の描画装置の駆動制御方法。
【請求項３】
前記吐出タイミングは、インクの吐出方向と鉛直方向との為す角度に基づく、重力を考慮して補正されることを特徴とする請求項１または２に記載の描画装置の駆動制御方法。
【請求項４】
前記吐出タイミングは、インクの粘性を考慮して補正されることを特徴とする請求項１ないし３のいずれかに記載の描画装置の駆動制御方法。
【請求項５】
インクジェットヘッドのノズル面と、前記インクジェットヘッドに対し相対的に印刷送りされる記録媒体の記録面と、のギャップが周期的に変化する描画装置であって、
前記記録媒体を送る記録媒体送り手段と、
送られてゆく前記記録媒体に印刷を行うインクジェットヘッドと、
前記記録媒体送り手段および前記インクジェットヘッドを制御する制御手段と、を備え、
前記制御手段は、１周期における、前記記録媒体の送り量と前記ギャップの刻々の変化量との相関関係で規定される前記ギャップの周期変化の制御テーブルに基づいて、前記記録媒体への着弾位置が適正位置となるように、印刷送りにおける前記インクジェットヘッドの吐出タイミングを制御することを特徴とする描画装置。
【発明の詳細な説明】
【技術分野】
【０００１】
本発明は、インクジェットヘッドを用いて、紙やフィルム等の記録媒体に描画処理を実施する描画装置の駆動制御方法および描画装置に関するものである。
【背景技術】
【０００２】
従来、描画対象となる記録媒体（ワーク）に対して、インクジェット方式のヘッドからインク（液滴）を吐出することで画像を描画する描画装置（液滴吐出装置）が知られている。この描画装置は、ヘッドを第１移動軸（Ｘ軸）に沿って移動させる第１操作部と、記録媒体を保持するためのテーブルを第１移動軸とは直交する第２移動軸（Ｙ軸）に沿って移動させる第２操作部と、テーブルに保持され、第１移動軸と第２移動軸との位置ずれを計測するための複数のマークからなるパターンを有する位置ずれ計測用部材と、第１移動軸に沿って移動しながら位置ずれ計測用部材のパターンを撮像する撮像部と、を備えている。そして、撮像部による位置ずれ計測用部材のパターンの撮像結果に基づいて、第１移動軸と第２移動軸との座標の相対的な位置精度の調整を行うことにより、ヘッドから記録媒体に対してインクを吐出する際に、当該インクを記録媒体の適切な位置に吐出することができる（例えば、特許文献１参照）。
【先行技術文献】
【特許文献】
【０００３】
【特許文献１】特開２００５−２７０７９９号公報
【発明の概要】
【発明が解決しようとする課題】
【０００４】
ところで、描画装置により記録媒体にインクジェットヘッドからインクを吐出して描画を行う場合、インクジェットヘッドのノズル面と記録媒体の記録面とのギャップ（間隙量）は一定であることが望ましい。
しかしながら、上記描画装置の記録媒体を設置するためのテーブル（設置部材）は、製造精度上（加工精度上）の設置面の形状の粗さ（歪みやうねり、厚みムラ等）や熱膨張による変形によって、記録媒体の設置面が微妙に変形したり、あるいは、テーブルの取付精度の影響により本来の位置から微少にずれて取り付けられることが考えられる。この場合、ヘッドのノズル面と記録媒体の記録面とのギャップが、記録媒体の送り動作により変動し、精度良く描画処理を行うことができないという問題があった。つまり、一定のギャップを想定したタイミングでインクを吐出した場合、インクの着弾位置が想定していた位置からずれてしまう。
【０００５】
本発明は上記の問題に鑑み、記録媒体の記録面とヘッドのノズル面とのギャップの変動を考慮して吐出タイミングを調整することができる描画装置の駆動制御方法および描画装置を提供することを目的とする。
【課題を解決するための手段】
【０００６】
本発明の描画装置の駆動制御方法は、インクジェットヘッドのノズル面と、インクジェットヘッドに対し相対的に印刷送りされる記録媒体の記録面と、のギャップが周期的に変化する描画装置の駆動制御方法であって、１周期における、記録媒体の送り量とギャップの刻々の変化量との相関関係で規定される、ギャップの周期変化を取得する周期変化取得工程と、取得したギャップの周期変化に基づいて、記録媒体への着弾位置が適正位置となるように、印刷送りにおけるインクジェットヘッドの吐出タイミングを制御するタイミング制御工程と、を備えたことを特徴とする。
【０００７】
また、本発明の描画装置は、インクジェットヘッドのノズル面と、インクジェットヘッドに対し相対的に印刷送りされる記録媒体の記録面と、のギャップが周期的に変化する描画装置であって、記録媒体を送る記録媒体送り手段と、送られてゆく前記記録媒体に印刷を行うインクジェットヘッドと、記録媒体送り手段およびインクジェットヘッドを制御する制御手段と、を備え、制御手段は、１周期における、記録媒体の送り量とギャップの刻々の変化量との相関関係で規定されるギャップの周期変化の制御テーブルに基づいて、記録媒体への着弾位置が適正位置となるように、印刷送りにおけるインクジェットヘッドの吐出タイミングを制御することを特徴とする。
【０００８】
これらの構成によれば、インクジェットヘッドのノズル面と記録媒体の記録面とのギャップの周期変化に基づいて、インクジェットヘッドの吐出タイミングを制御する。これにより、例えば、記録媒体を設置するための設置部材の設置面の製造精度上の形状の粗さ（歪みやうねり、厚みムラ等）や熱膨張による変形、あるいは、描画装置における記録媒体の設置部材の取付精度の影響により、インクジェットヘッドのノズル面と記録媒体の記録面とのギャップ（ペーパギャップ）が一定に保たれない場合であっても（記録媒体の送り動作に伴ってギャップが周期的に変化する場合であっても）、記録媒体への着弾位置が適正位置になるようにインクを吐出することができる。ゆえに、描画処理を精度良く実施することができる。
また、１周期におけるギャップの周期変化に基づいて、インクジェットヘッドの吐出タイミングを制御するため、１周期に対するギャップ測定を予め行うだけで、容易に記録媒体への着弾位置が適正位置になるようにインクを吐出することができる。
なお、ギャップの測定は、超音波式、レーザー式（光センサー式）、接触式、あるいは、磁気センサー式のものを用いることが考えられる。また、１周期に対するギャップ測定は、描画装置の出荷時や駆動開始時に１度だけ行うようにしても良いし、経時変化に対応すべく、出荷時や駆動開始時に加え、駆動中に定期的に再測定を行うようにしても良い。
【０００９】
本発明の描画装置の駆動制御方法において、記録媒体は、一方向に回転する回転ドラムの外周面に密着させて印刷送りされ、１周期が回転ドラムの１回転に対応していることが好ましい。
【００１０】
この構成によれば、回転ドラム（回転体）の外周面に記録媒体を密着させ、当該回転ドラムを回転することで記録媒体の送り動作を行う描画装置（つまり、円弧面に沿って記録媒体の送り動作（搬送）をする描画装置）において、インクジェットヘッドのノズル面と記録媒体の記録面とのギャップが、回転ドラムの回転位相によって変動する場合であっても、記録媒体への着弾位置が適正位置になるようにインクを吐出することができる。
【００１１】
本発明の描画装置の駆動制御方法において、吐出タイミングは、インクの吐出方向と鉛直方向との為す角度に基づく、重力を考慮して補正されることが好ましい。
【００１２】
この構成によれば、重力の影響によるインクの飛行速度や飛行曲がりを考慮して、インクの吐出タイミングを補正することで、より正確に記録媒体の適正な着弾位置にインクを吐出することができる。
【００１３】
本発明の描画装置の駆動制御方法において、吐出タイミングは、インクの粘性を考慮して補正されることが好ましい。
【００１４】
この構成によれば、複数色のインクを用いて印刷を行う場合、各色で異なるインクの粘性の高低を考慮して（粘性の高低による飛行速度を考慮して）、吐出タイミングを補正することができる。これにより、複数色のインクを用いる場合においても、より正確に記録媒体の適正な着弾位置に、インクを吐出することができる。
【図面の簡単な説明】
【００１５】
【図１】実施形態に係るインクジェット装置の正面図である。
【図２】装置本体の側方断面図である。
【図３】ヘッドユニット廻りの断面図である。
【図４】印刷ヘッドの斜視図である。
【図５】ヘッドユニットの斜視図である。
【図６】ピニングユニットの斜視図である。
【図７】インクジェットヘッドの吐出タイミングを制御するフローチャートである。
【発明を実施するための形態】
【００１６】
以下、添付の図面を参照して、本発明の一実施形態に係るインクジェット装置（描画装置）について説明する。このインクジェット装置は、周方向に複数のインクジェットヘッドを配置したセンタードラム式の記録装置であり、リールツーリールで供給した長尺の記録媒体に、ＵＶインク（紫外線硬化型インク）を用いて印刷を実施する。記録媒体としては、例えばラベル用のフィルムや用紙等のシート状のものであって、各種幅および厚みの異なるものを印刷対象としている。なお、以降の説明では、図１において紙面を貫通する方向を前後とし、手前側を「前」、奥側を「後」とする。具体的には、後述する回転ドラム６１の回転軸（ドラム軸６２）の延在方向を前後とし、後述するドラムモーター６４から回転ドラム６１へ向かう方向を手前方向（手前側）、回転ドラム６１からドラムモーター６４へ向かう方向を奥方向（奥側）とする。また、記録媒体Ａの媒体送り経路Ｌにおいて、後述する媒体供給装置６側を「上流側」、後述する媒体回収装置７側を「下流側」とする。
【００１７】
図１の全体図に示すように、インクジェット装置１は、インクジェット方式で記録媒体Ａに印刷を行うセンタードラム式の装置本体２と、装置本体２に記録媒体Ａを供給し且つ印刷済みの記録媒体Ａを回収するリールツーリール方式の媒体供給・回収装置３と、これら構成装置を統括制御する制御装置（図示省略）と、を備えている。媒体供給・回収装置３は、装置本体２に記録媒体Ａを供給する媒体供給装置６と、装置本体２から記録媒体Ａを回収する媒体回収装置７と、を有している。一方、装置本体２および媒体供給・回収装置３に構成した記録媒体Ａの媒体送り経路Ｌは、媒体供給装置６から装置本体２に至る供給送り経路Ｌ１と、装置本体２に構成した円に近い円弧状の印刷送り経路Ｌ２と、装置本体２から媒体回収装置７に至る回収送り経路Ｌ３と、を有している。
【００１８】
供給送り経路Ｌ１を介して、媒体供給装置６から繰り出すようにして供給された記録媒体Ａは、装置本体２において印刷送り経路Ｌ２に沿って送られ、この部分で印刷に供される。また、印刷が完了した記録媒体Ａは、回収送り経路Ｌ３を介して媒体回収装置７により巻き取るようにして回収される。
【００１９】
さらに、装置本体２と折返しユニット２５との間には、回収送り経路Ｌ３に臨むように、後述する装置本体２のＵＶ照射ユニット４４が配設されている。
【００２０】
制御装置により、装置本体２に同期して巻取りモーターを駆動すると、記録媒体Ａは、バックテンションユニット２３により所定のテンションを付与されつつ、装置本体２から送り出され、回収送り経路Ｌ３に沿って送られてゆく。装置本体２から送り出された記録媒体Ａは、先ずＵＶ照射ユニット４４を通過する。この通過過程で、ＵＶインクは硬化する。続いて、折返しユニット２５によりＵターンした記録媒体Ａは、バックテンションユニット２３を経て、巻取りリール２１に巻き取られる。なお、巻取りリール２１に巻き取られた記録媒体Ａは、別工程の装置に導入され、ラベルとして裁断され或いはラベル部分にハーフカットが施される。
【００２１】
図１に示すように、装置本体２は、大口径の回転ドラム６１を有し、印刷送り経路Ｌ２に沿って記録媒体Ａを送る媒体送り機構（記録媒体送り手段）４１と、それぞれが複数のインクジェットヘッド（印刷ヘッド）７６を有し、印刷送り経路Ｌ２に臨むように、回転ドラム６１に対し放射状に配設した複数のキャリッジユニット４２と、上記の回収送り経路Ｌ３に臨み、記録媒体ＡのＵＶインクを硬化させる本硬化用のＵＶ照射ユニット４４と、インクジェットヘッド７６から回転ドラム６１の外周面７１ａ（図３参照）までの距離を測定（検出）する距離測定センサー４５と、を備えている。
【００２２】
複数のキャリッジユニット４２は、供給するＵＶインクの色別のユニットであり、全体として印刷手段４８を構成している。
【００２３】
図２に示すように、装置フレーム４６は、機台となるベースフレーム５１と、ベースフレーム５１の後半部に立設したメインフレーム５２と、メインフレーム５２の前面に広く設けた板状のサブフレーム５３と、サブフレーム５３を介しメインフレーム５２の前部に配設したチャンバーフレーム５４と、を有している。
【００２４】
メインフレーム５２は、チャンネル材を方形に組んで構成され、サブフレーム５３を介して各種の構成装置を支持すると共に、回転ドラム６１を主体とする媒体送り機構４１を支持している。サブフレーム５３は、厚肉方形のステンレス板等で構成され、前面側において、複数のキャリッジユニット４２、ＵＶ照射ユニット４４および距離測定センサー４５（いずれも図１参照）を片持ちの形式で支持している。
【００２５】
媒体送り機構４１は、横倒しの王冠状に形成された回転ドラム６１と、ドラム軸６２を介して回転ドラム６１を片持ちで回転自在に支持する軸受け６３と、回転ドラム６１を一方向に低速回転させるドラムモーター６４と、ドラム軸６２とドラムモーター６４との間に介設したベルトドライブの動力伝達機構６５と、ドラム軸６２の後端部に取り付けられたエンコーダー６６と、を有している。ドラムモーター６４は、例えばサーボモーターで構成され、回転ドラム６１の外周面７１ａにおける周速（印刷速度）が一定になるように、回転ドラム６１を回転させる。エンコーダー６６は、回転ドラム６１の回転量（回転角度）を計測することで、回転ドラム６１の回転位置を検出する。
【００２６】
回転ドラム６１は、円筒状のドラム本体７１と、ドラム本体７１の後端を覆うディスク部７２とを備え、アルミニウム等の軽金属で構成されている。記録媒体Ａは、ドラム本体７１の外周面７１ａに密着し、回転するドラム本体７１により円（円弧）を描くように送られる。すなわち、媒体供給装置６から送り込まれた記録媒体Ａは、回転ドラム６１により外周面７１ａに倣う円弧状の印刷送り経路Ｌ２に沿って送られる。そして、この送りに同期して印刷手段４８が適宜駆動することにより、記録媒体Ａに印刷が行われる。
【００２７】
上述のように、印刷手段４８は、回転ドラム６１に対し放射状に配設した複数のキャリッジユニット４２を備えている（図１参照）。複数のキャリッジユニット４２は、インク色別のユニットであり、印刷送り経路Ｌ２の始端側から終端側に向って、シアン（Ｃ）、マゼンタ（Ｍ）、イエロー（Ｙ）、ブラック（Ｂｋ）の順で、周方向にほぼ等間隔で配設されている。詳細は後述するが、各キャリッジユニット４２には、複数のインクジェットヘッド７６が搭載され、この複数のインクジェットヘッド７６により、最大幅の記録媒体Ａに対応するヘッド７７（ラインヘッド，図５参照）が構成されている。このため、印刷送り経路Ｌ２に沿って印刷送りされてゆく記録媒体Ａに、各色のヘッド７７が順に臨むことになり、記録媒体Ａに印刷データに基づく所望のカラー印刷が行われる。
【００２８】
図４に示すように、各インクジェットヘッド７６は、そのノズル面９１に相互に並行な複数の吐出ノズル９２から成る２列のノズル列９３を有している。この場合、２列のノズル列９３は、ノズル列方向に１／２ノズルピッチ位置ズレして配設されている。
【００２９】
一方、図３および図５に示すように、ヘッドユニット８３は、キャリッジ８２に対し前方から着脱自在に装着されている。ヘッドユニット８３は、ヘッドプレート９４と、ヘッドプレート９４に支持されると共に、それぞれが回転ドラム６１の接線に対し並行になるように山形に連ねた一対のサブプレート９５と、一対のサブプレート９５に２分して搭載された複数のインクジェットヘッド７６（実施形態のものは、７個＋７個）と、を備えている。
【００３０】
この場合、各サブプレート９５に搭載された複数のインクジェットヘッド７６（７個）は、いずれもノズル列９３が前後方向に向く姿勢で、且つ前後方向において千鳥に配設されている。また、一方のサブプレート９５に搭載された複数のインクジェットヘッド７６と、他方のサブプレート９５に搭載された複数のインクジェットヘッド７６とは、前後方向（ノズル列方向）に１／４ノズルピッチ位置ズレして配設されている。これにより、ヘッドプレート９４に搭載した全インクジェットヘッド７６により、前後方向（記録媒体Ａの幅方向）に延在するラインヘッドとしてのヘッド７７、すなわち最大幅の記録媒体Ａに対応する１／４ノズルピッチのヘッド７７が構成されている。そして、上記の各インクジェットヘッド７６（各吐出ノズル９２）からのインクの吐出タイミングを、ヘッド制御基板モジュール（当該モジュールの中核を成すコントローラー）により制御することで、高解像度の描画（印刷）を行う。なお、詳細は後述するが、インクジェットヘッド７６の吐出タイミングは、インクジェットヘッド７６のノズル面９１と記録媒体Ａの記録面Ａ１とのギャップ（離間距離）の変動を考慮して決定される。
【００３１】
図６に示すように、ピニングユニット８６は、記録媒体ＡのＵＶインクを仮硬化させる仮硬化ＵＶランプ９８と、仮硬化ＵＶランプ９８に添設したダクト接続のミスト吸引口９９と、を有している。仮硬化ＵＶランプ（ランプアレイ）９８およびミスト吸引口（スリット吸引口）９９は、相互に並行に且つ前後方向に延在し、上記のヘッド７７に対し、ほぼ同じ長さに且つ前後方向に同位置に配設されている。また、複数のインクジェットヘッド７６（ヘッド７７）、ミスト吸引口９９、仮硬化ＵＶランプ９８は、記録媒体Ａの送り方向においてこの順で配設されており、インクジェットヘッド７６から吐出されたＵＶインクのミストをミスト吸引口９９で吸引し、記録媒体Ａに着弾したＵＶインクを仮硬化ＵＶランプ９８で仮硬化させる。
【００３２】
また、図１に示すように、距離測定センサー４５は、印刷送り経路Ｌ２に臨み、当該距離測定センサー４５から回転ドラム６１の外周面７１ａまでの距離を測定する。距離測定センサー４５は、いわゆる渦電流式の磁気センサーで構成されている。即ち、回転ドラム６１のドラム本体７１は、誘電体で構成されており、距離測定センサー４５は、回転するドラム本体７１の外周面７１ａとの間に高周波磁界を発生させ、これに伴って、外周面７１ａとの間に発生する渦電流を測定し、外周面７１ａまでの距離を検出する。これにより、当該距離測定センサー４５が臨む位置の外周面７１ａにおける径方向の高さを検出することができる。そして、この測定結果と、記録媒体Ａの厚さと、距離測定センサー４５とインクジェットヘッド７６のノズル面９１との位置関係と、に基づいて、インクジェットヘッド７６のノズル面９１と記録媒体Ａの記録面Ａ１との間のギャップが測定（算出）される。
【００３３】
このギャップの測定は、インクジェット装置１の出荷時、あるいはインクジェット装置１の駆動開始時に１度だけ行われるものであり、回転ドラム６１（ドラム軸６２）に取り付けられたエンコーダー６６のＺ相を基準とし、回転ドラム６１の１回転分（１周期分）における所定回転量毎（所定距離間隔毎。言い換えれば、所定の記録媒体Ａの送り量毎）の各位置のギャップを測定する。
【００３４】
この測定結果を元に、制御装置は、前記各位置と、それぞれの位置におけるギャップ変動量（測定したギャップと、予め定められた基準となるギャップ（基準ギャップ）との差）と、を関連付けた補正テーブル（制御テーブル）を作成し、これをヘッド制御基板モジュール内に保存する（周期変化取得工程，周期変化取得手段）。つまり、インクジェットヘッド７６のノズル面９１と記録媒体Ａの記録面Ａ１とのギャップの周期変化を示す補正テーブルを作成する。そして、ヘッド制御基板モジュール（コントローラー）は、この補正テーブルに基づいて、インクジェットヘッド７６の吐出タイミングを制御（補正）する。
【００３５】
ここで、図７のフローチャートを参照し、インクジェットヘッド７６の吐出タイミングを制御する手順（タイミング制御工程）について説明する。まず、ヘッド制御基板モジュール（コントローラー）は、エンコーダー６６により現在の回転ドラム６１の回転位置を取得する（Ｓ０１）。次に、ヘッド制御基板モジュール内に予め保存された補正テーブルを読み込み（Ｓ０２）、当該補正テーブルに基づいて、現在の回転ドラム６１の回転位置に適した各インクジェットヘッド７６の吐出タイミング信号（プリントタイミング信号）を生成する（Ｓ０３）。即ち、インクジェットヘッド７６のノズル面９１と記録媒体Ａの記録面Ａ１との間のギャップが基準ギャップより広い場合は、そのギャップ変動量を考慮して、予め規定された吐出タイミング（基準ギャップに対応した吐出タイミング）よりも、吐出タイミングを早めるように補正した吐出タイミング信号を生成する。一方、インクジェットヘッド７６のノズル面９１と記録媒体Ａの記録面Ａ１との間のギャップが基準ギャップよりも狭い場合は、そのギャップ変動量を考慮して、予め規定された吐出タイミングよりも、吐出タイミングを遅延させるように補正した吐出タイミング信号を生成する。そして、ヘッド制御基板モジュールは、生成した吐出タイミング信号に基づいて各インクジェットヘッド７６からインクの吐出を行い、記録媒体Ａに描画を行う（Ｓ０４）。
【００３６】
以上のように、本実施形態によれば、インクジェットヘッド７６のノズル面９１と記録媒体Ａの記録面Ａ１とのギャップの周期変化に基づいて、インクジェットヘッド７６の吐出タイミングを制御する。これにより、例えば、記録媒体Ａを送るための回転ドラム６１の外周面７１ａの製造精度上の形状の粗さ（歪みやうねり、厚みムラ等）や熱膨張による変形、あるいは、回転ドラム６１の取付精度の影響により、インクジェットヘッド７６のノズル面９１と記録媒体Ａの記録面Ａ１とのギャップ（ペーパーギャップ）が一定に保たれない場合であっても（ギャップが変動する場合においても）、記録媒体Ａへの着弾位置が適正位置になるようにインクを吐出することができ、描画処理を精度良く実施することができる。
【００３７】
また、回転ドラム６１の１回転分（１周期分）のギャップの周期変化に基づいて、インクジェットヘッド７６の吐出タイミングを制御するため、回転ドラム６１の１回転に対するギャップ変動量の取得を予め行うだけで、容易に記録媒体Ａへの着弾位置が適正位置になるようにインクを吐出することができる。
【００３８】
なお、本実施形態では、回転ドラム６１の１回転分のギャップの測定をインクジェット装置１の出荷時や駆動開始時に１度だけ行い、これに基づいて補正テーブルを作成するようにしているが、例えば、経時変化に対応すべく、出荷時や駆動開始時に加え、駆動中に定期的に再測定を行い、その都度、補正テーブルを更新するようにしても良い。
【００３９】
また、吐出タイミングを決定する際、ギャップ変動量に加え、インクの吐出方向と鉛直方向との為す角度に基づく、重力の影響によるインクの飛行速度や飛行曲がりを考慮して、インクの吐出タイミングを補正しても良い。あるいは、上記に加え、インク（インク色）により異なる粘性の高低を考慮して（粘性の高低による飛行速度を考慮して）、吐出タイミングを補正するようにしても良い。これにより、より正確に記録媒体Ａの適正な着弾位置に、インクを吐出することができる。
【００４０】
また、本実施形態においては、距離測定センサー４５として、渦電流式の磁気センサーを用いたが、例えば、超音波式、レーザー式（光センサー式）または接触式のものを用いても良い。
【符号の説明】
【００４１】
１…インクジェット装置  ４１…媒体送り機構  ６１…回転ドラム  ７１ａ…外周面  ７６…インクジェットヘッド  ９１…ノズル面  Ａ…記録媒体  Ａ１…記録面
【図１】
2011235566.tif 000003
【図２】
2011235566.tif 000004
【図３】
2011235566.tif 000005
【図４】
2011235566.tif 000006
【図５】
2011235566.tif 000007
【図６】
2011235566.tif 000008
【図７】
2011235566.tif 000009